(57)【要約】【課題】室外気温センサーを保護し、直射日光による誤検知を防止することができ、容易に製造できる、分離型空気調和機の室外ユニットを提供する。【解決手段】熱交換器２と、送風機３と、電装品６が収納される電装箱７と、室外気温センサー８と、天面を形成する外箱天板１０とを備えた空気調和機の室外ユニット１であって、室外気温センサー８で外気温を測るために、外箱天板１０の室外気温センサー８近傍には、外気１５ａが流入される開口部１１が形成されている。【選択図】  図１
2005083706.tif 000002
【特許請求の範囲】
【請求項１】
熱交換器と、送風機と、電装品が収納される電装箱と、室外気温センサーと、天面を形成する外箱天板とを備えた空気調和機の室外ユニットであって、
前記室外気温センサーで外気温を測るために、前記外箱天板の前記室外気温センサー近傍には、外気が流入される開口部が形成されていることを特徴とする分離型空気調和機の室外ユニット。
【請求項２】
前記室外気温センサーを保持するためのセンサー保持部をさらに備え、
前記センサー保持部は、前記電装箱と一体に、かつ、前記熱交換器の上方に形成されている、請求項１に記載の分離型空気調和機の室外ユニット
【請求項３】
前記室外気温センサーは、前記センサー保持部の上面に配設されている、請求項２に記載の分離型空気調和機の室外ユニット。
【請求項４】
前記外箱天板の開口部は、前記室外気温センサーに比べて、前記送風機からさらに離れた位置に形成されている、請求項１に記載の分離型空気調和機の室外ユニット。
【請求項５】
前記室外気温センサーの上方に、遮蔽板が設けられた、請求項１ないし請求項４のいずれかに記載の分離型空気調和機の室外ユニット。
【請求項６】
前記電装箱の上部に配設される電装箱上蓋をさらに備え、
前記遮蔽板は、前記電装箱上蓋と一体に構成されている、請求項５に記載の分離型空気調和機の室外ユニット。
【請求項７】
前記熱交換器と前記センサー保持部との間に空間を有し、
前記室外気温センサーは、前記センサー保持部の下面に保持されている、請求項２に記載の分離型空気調和機の室外ユニット。
【発明の詳細な説明】
【技術分野】
【０００１】
本発明は、分離型空気調和機の室外ユニットに関するものである。
【背景技術】
【０００２】
分離型空気調和機は、室外ユニットと室内ユニットとによって構成されている。従来の分離型空気調和機の室外ユニットとしては、電装箱と一体にセンサー保持部を設け、室外気温センサーを熱交換器の風上側に配設して構成されているものがあった（例えば、特許文献１参照）。図８は、従来の分離型空気調和機の室外ユニットを示す斜視図である。図８を用いて、従来の分離型空気調和機の室外ユニット１００について説明する。
【０００３】
図８に示すように、室外ユニット１００は仕切板１１０により、送風機１０３が収納された送風機室１０４と圧縮機（図示せず）が収納された圧縮機室１０５とに分割されている。また、送風機１０３を囲うように、Ｌ字状の熱交換器１０２が設置されている。
【０００４】
仕切板１１０の上方には、例えば制御基板等の電装品１０６が収納された電装箱１０７が設置されている。また、熱交換器１０２には室外気温センサー１０８が配設されている。室外気温センサー１０８は、送風機１０３が運転されることで生じた空気の流れの風上側に配設されている。
【０００５】
この室外気温センサー１０８を保持するセンサー保持部１０９は、電装箱１０７の背面側が延長されて形成された舌片部１０７ａに設置されている。室外気温センサー１０８はセンサー保持部１０９の熱交換器１０２と反対の面に設置されていて、室外気温センサー１０８は、熱交換器１０２の風上側に保持されている。室外気温センサー１０８は、電装箱１０７に収納された電装品１０６に電気的に接続されている。
【０００６】
送風機１０３が運転されることで、室外ユニット１００内を空気が流れ、熱交換器１０２を通過する前の外気が室外気温センサー１０８を通過する。それにより、室外気温センサー１０８は、室外気温を検知することができる。この室外気温センサー１０８によって検知された室外気温は、電装品１０６に電気信号として送られ、分離型空気調和機の運転制御に利用される。
【０００７】
従来の室外ユニット１００は、このように、センサー保持部１０９が、電装箱１０７の背面側が延長されて形成された舌片部１０７ａに設置されているため、室外ユニット１００本体の組立時よりも前に、室外気温センサー１０８を取り付け、電装品１０６に接続することができる。それにより、室外ユニット１００の製造時間を短縮することができる。
【特許文献１】特開平１１−２４８１９９号公報
【発明の開示】
【発明が解決しようとする課題】
【０００８】
しかし、上記従来の室外ユニット１００の構成では、室外気温センサー１０８を保護し、室外気温センサー１０８が直射日光を受けて誤った温度を検知するのを防止する必要がある。そのために、別部品または室外ユニット１００本体の側面を形成する外箱側板を延長して、センサーカバーを設ける必要がある。それにより、コストアップや、組立が煩雑になる等の問題が生じる。さらに、電装箱１０７の舌片部１０７ａに設置されたセンサー保持部１０９で保持し、室外気温センサー１０８を電装箱１０７に接続すると、電装箱１０７はセンサー保持部１０９が突出した形状となり、電装箱１０７の取り扱いが困難で、変形や破損等の不良が発生し易いという問題もある。
【０００９】
本発明は上記問題に鑑みなされたものであって、室外気温センサーを保護し、直射日光による誤検知を防止することができ、容易に製造できる、分離型空気調和機の室外ユニットを提供することを目的とする。
【課題を解決するための手段】
【００１０】
本発明の分離型空気調和機の室外ユニットは、熱交換器と、送風機と、電装品が収納される電装箱と、室外気温センサーと、天面を形成する外箱天板とを備えた空気調和機の室外ユニットであって、前記室外気温センサーで外気温を測るために、前記外箱天板の前記室外気温センサー近傍には、外気が流入される開口部が形成されていることを特徴とする。
【発明の効果】
【００１１】
本発明の分離型空気調和機の室外ユニットは、室外気温センサーの保護および直射日光による誤検知の防止ができる上、容易に製造することができる。
【発明を実施するための最良の形態】
【００１２】
本実施の形態の分離型空気調和機の室外ユニットは、簡単な構造で室外気温センサーを保護し、さらに直射日光による影響を低減して、室外気温センサーの温度誤検知を防止することができる。また、外箱天板の室外気温センサー近傍には、外気が流入される開口部が形成されているので、室外センサーは、より正確な外気の温度を検知することができる。
【００１３】
また、好ましくは、前記室外気温センサーを保持するためのセンサー保持部をさらに備え、前記センサー保持部は、前記電装箱と一体に、かつ、前記熱交換器の上方に形成されている。それにより、電装箱に室外気温センサーを接続してから室外ユニットを組み立てることができるので、容易に室外ユニットを製造でき、コストダウンにつながる。また、室外気温センサーを接続した状態でも、電装箱は取り扱いが容易なので、電装箱の不良が生じることがない。
【００１４】
また、好ましくは、前記室外気温センサーは、前記センサー保持部の上面に配設されている。そのため、室外気温センサーは、熱交換器からの熱の輻射の影響を受けにくい。それにより、室外気温センサーは、正確な外気の温度を検知することができる。
【００１５】
また、好ましくは、前記外箱天板の開口部は、前記室外気温センサーに比べて、前記送風機からさらに離れた位置に形成されている。それにより、外箱天板の開口部より導入した空気を確実に室外気温センサーに導き、より正確に温度検知できるという効果を奏する。
【００１６】
また、好ましくは、前記室外気温センサーの上方に、遮蔽板が設けられている。それにより、外箱天板に直射日光が当たり暖められた外箱天板からの熱の輻射により、室外気温センサーが誤った温度を検知することを防止できるという効果を奏する。
【００１７】
また、好ましくは、前記電装箱の上部に配設される電装箱上蓋をさらに備え、前記遮蔽板は、前記電装箱上蓋と一体に構成されている。それにより、部品の追加無しに、外箱天板からの熱の輻射による影響が低減され、室外気温センサーが誤った温度を検知することを防止できるという効果を奏する。
【００１８】
また、好ましくは、前記熱交換器と前記センサー保持部との間に空間を有し、前記室外気温センサーは、前記センサー保持部の下面に保持されている。それにより、新たな部品の追加無しに、センサー保持部によって、外箱天板からの熱の輻射による影響が低減され、室外気温センサーが誤った温度を検知することを防止できるという効果を奏する。なお、熱交換器とセンサー保持部との間の空間は、熱交換器からの熱が、センサー保持部の下面に保持された室外気温センサーに影響を与えない程度の距離を、熱交換器とセンサー保持部との間に形成するものである。
【００１９】
以下、本発明の実施形態のさらに具体的な例について図を用いて説明する。
【００２０】
（実施の形態１）
本発明の実施の形態１に係る分離型空気調和機の室外ユニットについて、図を用いて説明する。図１は、本発明の実施の形態１に係る分離型空気調和機の室外ユニット１の内部を示す平面図である。また、図２は、図１のＡ−Ａ′断面図である。図３は、分離型空気調和機の室外ユニット１の斜視図である。実施の形態１の分離型空気調和機の室外ユニット１について図を用いて説明する。
【００２１】
実施の形態１の室外ユニット１は、図１に示すように、熱交換器２と、送風機室４に設置された送風機３と、例えば、制御基板等の電装品６が収納されている電装箱７と、外気温を検知するための室外気温センサー８とを備えている。また、実施の形態１の室外ユニット１は、図３に示すように、室外ユニット１の天面を形成する外箱天板１０を備えていて、外箱天板１０の側面には、開口部１１が形成されている。
【００２２】
図１および図２に示しているように、室外気温センサー８は、センサー保持部９に保持されているが、センサー保持部９は、電装箱７と一体に、かつ、熱交換器２の上方に形成され、室外気温センサー８と電装品６とは電気的に接続されている。また、外箱天板１０の側面に形成された開口部１１は、室外気温センサー８の近傍に位置するように形成されている。
【００２３】
このような構成を有する実施の形態１の室外ユニット１は、送風機３を運転することで、外気１５が熱交換器２を通って送風機室４へと流入する。その際に、外気の一部１５ａは開口部１１に流入し、室外気温センサー８の近傍を通って、送風機室４へと流入する。それにより、室外気温センサー８は、流入したての外気の一部１５ａの温度を検知することができる。そのため、室外気温センサー８は正確な外気の温度を検知することができる。検知された外気の温度は、電気信号で電装品６へと送られ、分離型空気調和機の運転制御に用いられる。
【００２４】
室外気温センサー８は、外箱天板１０が設けられた室外ユニット１の内部に設置されているので保護されている。また、外箱天板１０により、室外気温センサー８は直射日光等の外部からの熱の影響を受けずに、外気の温度を正確に検知することができる。また、図２に示しているように、室外気温センサー８は、熱交換器２の上方にあるセンサー保持部９の上面に配設されていることが望ましい。それにより、熱交換器２からの熱の輻射は、センサー保持部９によって遮断され、室外気温センサー８には影響を与えない。そのため、室外気温センサー８は正確な外気温を検知することができる。
【００２５】
また、センサー保持部９は電装箱７と一体であり、面積も比較的小さくすることができる。そのため、室外気温センサー８をセンサー保持部９に取り付け、室外気温センサー８と電装品６とを接続してから、電装箱７を室外ユニット１に取り付ける場合でも、電装箱７は扱いやすく、損傷のおそれがない。したがって、室外ユニット１の製造が容易であり、コストダウンにつながる。
【００２６】
（実施の形態２）
本発明の実施の形態２に係る分離型空気調和機の室外ユニット１ａについて図４を用いて説明する。図４は、本発明の実施の形態２に係る分離型空気調和機の室外ユニット１ａの内部を示す平面図である。図４に示す実施の形態２の室外ユニット１ａは、図１に示す実施の形態１の室外ユニット１とは、外箱天板１０に形成された開口部１１の位置が異なる。それ以外の箇所については、実施の形態１の室外ユニット１と同様の構成であるので、説明を省略する。また、同一部材には同一の符号を用いている。
【００２７】
図４に示しているように、外箱天板１０の開口部１１は、室外気温センサー８に比べて、送風機３からさらに離れた位置に形成されている。外箱天板１０の開口部１１より流入した一部の外気１５ａは、送風機３へ向かって流れる。そのため、一部の外気１５ａは確実に室外気温センサー８に導かれ、より正確に外気の温度を検知することができる。
【００２８】
（実施の形態３）
本発明の実施の形態３に係る分離型空気調和機の室外ユニット１ｂについて図５を用いて説明する。図５は、本発明の実施の形態３に係る分離型空気調和機の室外ユニット１ｂの内部を示す断面図である。図５に示す実施の形態３の室外ユニット１ｂは、室外気温センサー８の上方に遮蔽板１２が設置されている点が、図２に示す実施の形態１の室外ユニット１とは異なる。それ以外の箇所については、実施の形態１の室外ユニット１と同様の構成であるので、説明を省略する。また、同一部材には同一の符号を用いている。
【００２９】
遮蔽板１２は、例えば、室外気温センサー８の上方を覆うように、Ｌ字型の金属製の板等を、センサー保持部９に設置することで形成することができる。このように、室外気温センサー８の上方に遮蔽板１２を設けることで、外箱天板１０が直射日光により暖められた場合等に、外箱天板１０からの室外気温センサー８への熱の輻射を遮ることができる。それにより、室外気温センサー１０８が外気の温度を誤って検知することを防止することができる。
【００３０】
（実施の形態４）
本発明の実施の形態４に係る分離型空気調和機の室外ユニット１ｃについて図６を用いて説明する。図６は、本発明の実施の形態４に係る分離型空気調和機の室外ユニット１ｃの内部を示す断面図である。図６に示す実施の形態４の室外ユニット１ｃは、電装箱７の上部に電装箱上蓋１３が設置されていて、その電装箱上蓋１３には遮蔽板１２ａが一体に形成されている点が、図２に示す実施の形態１の室外ユニット１とは異なる。それ以外の箇所については、実施の形態１の室外ユニット１と同様の構成であるので、説明を省略する。また、同一部材には同一の符号を用いている。
【００３１】
図６に示しているように、実施の形態４の室外ユニット１ｃは、電装箱７の上部には、蓋として電装箱上蓋１３が設置されている。この電装箱上蓋１３の天板を延長して形成し、遮蔽板１２ａとしている。
【００３２】
このように構成することにより、外箱天板１０が直射日光により暖められた場合等に、外箱天板１０からの室外気温センサー８への熱の輻射を遮ることができる。それにより、室外気温センサー８が外気の温度を誤って検知することを防止することができる。
【００３３】
また、遮蔽板１２ａは電装箱上蓋１３と一体形成されているので、新たに部品の追加をすることなく遮蔽板１２ａを設けることができる。したがって、低コストで遮蔽板１２ａを設けることができる。
【００３４】
（実施の形態５）
本発明の実施の形態５に係る分離型空気調和機の室外ユニット１ｄについて図７を用いて説明する。図７は、本発明の実施の形態５に係る分離型空気調和機の室外ユニット１ｄの内部を示す断面図である。図７に示す実施の形態５の室外ユニット１ｄにおいて、センサー保持部９ａの形状と、室外気温センサー８が、センサー保持部９ａの下方に設置されている点が、図２に示す実施の形態１の室外ユニット１とは異なる。それ以外の箇所については、実施の形態１の室外ユニット１と同様の構成であるので、説明を省略する。また、同一部材には同一の符号を用いている。
【００３５】
図７に示すように、センサー保持部９ａが階段状であり、熱交換器２とセンサー保持部９ａとの間には空間がある。室外気温センサー８は、センサー保持部９ａの下面に保持されている。熱交換器２とセンサー保持部９ａとの間の距離は、熱交換器２からの熱が、センサー保持部９ａに設置された室外気温センサー８に影響を与えない程度に長くなっている。
【００３６】
室外気温センサー８は、センサー保持部９ａの下面に設置されているので、外箱天板１０が直射日光により暖められた場合等に、外箱天板１０からの室外気温センサー８への熱の輻射をセンサー保持部９ａによって遮ることができる。また、上述したように、室外気温センサー８は熱交換器２と離れているので、熱交換器２からの熱の影響は受けにくい。したがって、実施の形態５の室外ユニット１ｄの室外気温センサー８は、正確な外気の温度を検知することができる。
【００３７】
なお、実施の形態５では、センサー保持部９ａは階段状としたが、熱交換器２と、センサー保持部９ａの下面に設置された室外気温センサー８との距離が、熱交換器２からの熱の影響を室外気温センサー８が受けない程度であれば、例えば平板状等の他の形状であってもかまわない。
【００３８】
なお、実施の形態１〜５で具体的に示した構造は、あくまでも一例であり、本発明はこれらの具体例のみに限定されるものではない。
【産業上の利用可能性】
【００３９】
本発明の分離型空気調和機の室外ユニットは、室外気温センサーの保護や直射日光による誤検知を防止することができ、容易に製造でき、分離型空気調和機の室外ユニットとして有用である。
【図面の簡単な説明】
【００４０】
【図１】本発明の実施の形態１に係る分離型空気調和機の室外ユニットの内部を示す平面図
【図２】図１のＡ−Ａ′断面図
【図３】分離型空気調和機の室外ユニット１の斜視図
【図４】本発明の実施の形態２に係る分離型空気調和機の室外ユニットの内部を示す平面図
【図５】本発明の実施の形態３に係る分離型空気調和機の室外ユニットの内部を示す断面図
【図６】本発明の実施の形態４に係る分離型空気調和機の室外ユニットの内部を示す断面図
【図７】本発明の実施の形態５に係る分離型空気調和機の室外ユニットを示す断面図
【図８】従来の分離型空気調和機の室外ユニットの構造を示す斜視図
【符号の説明】
【００４１】
１、１ａ、１ｂ、１ｃ、１ｄ  室外ユニット
２                          熱交換器
３                          送風機
４                          送風機室
６                          電装品
７                          電装箱
８                          室外気温センサー
９、９ａ                    センサー保持部
１０                        外箱天板
１１                        開口部
１２、１２ａ                遮蔽板
１３                        電装箱上蓋
１５                        外気
１５ａ                      一部の外気
１００                      室外ユニット
１０１                      仕切板
１０２                      熱交換器
１０３                      送風機
１０４                      送風機室
１０５                      圧縮室
１０６                      電装品
１０７                      電装箱
１０８                      室外気温センサー
１０９                      センサー保持部
【図１】
2005083706.tif 000003
【図２】
2005083706.tif 000004
【図３】
2005083706.tif 000005
【図４】
2005083706.tif 000006
【図５】
2005083706.tif 000007
【図６】
2005083706.tif 000008
【図７】
2005083706.tif 000009
【図８】
2005083706.tif 000010